(57)【要約】【課題】個人ユーザから大規模ユーザまで、利用するコンピュータの数に応じて幅広く適用する。【解決手段】複数のコンピュータ装置と、該複数のコンピュータ装置に対して信号の入出力を行うためのキーボード、マウス及びディスプレイの周辺機器とが接続可能に構成され、周辺機器にて信号の入出力対象となるコンピュータ装置を切り替えるＫＶＭ切替器１０において、コンピュータ装置に接続するためのポート２２ａ−１〜２２ａ−４を複数有するモジュール２０ａが装着可能に構成された複数のスロット１３ａ−１〜１３ａ−４と、コンピュータ装置が接続されたポートと周辺機器との接続を選択的に切り替えるためのフロントパネル１１とを設ける。【選択図】  図１
2005018135.tif 000002
【特許請求の範囲】
【請求項１】
複数のコンピュータ装置と、該複数のコンピュータ装置に対して信号の入出力を行うためのキーボード、マウス及びディスプレイの周辺機器とが接続可能に構成され、前記周辺機器にて信号の入出力対象となるコンピュータ装置を切り替えるＫＶＭ切替器において、
前記コンピュータ装置に接続するためのポートを複数有するモジュールが装着可能に構成された複数のスロットと、
前記コンピュータ装置が接続されたポートと前記周辺機器との接続を選択的に切り替えるための操作手段とを有することを特徴とするＫＶＭ切替器。
【請求項２】
請求項１に記載のＫＶＭ切替器において、
前記複数のスロットは、前記モジュールが装着された場合にモジュール同士を互いにディジーチェーン接続することを特徴とするＫＶＭ切替器。
【請求項３】
請求項１または請求項２に記載のＫＶＭ切替器において、
前記操作手段は、前記ポートと前記周辺機器との接続状態を表示することを特徴とするＫＶＭ切替器。
【請求項４】
複数のコンピュータ装置と、該複数のコンピュータ装置に対して信号の入出力を行うためのキーボード、マウス及びディスプレイの周辺機器とが接続可能に構成され、前記周辺機器にて信号の入出力対象となるコンピュータ装置を切り替えるＫＶＭ切替器におけるＫＶＭ切替方法であって、
接続するコンピュータ装置の数に応じて、前記ＫＶＭ切替器に設けられた複数のスロットに、前記コンピュータ装置に接続するためのポートを複数有するモジュールを装着し、該モジュールのポートに前記コンピュータ装置を接続し、前記ポートに接続されたコンピュータ装置のいずれか１つと前記周辺機器とを接続することを特徴とするＫＶＭ切替方法。
【請求項５】
請求項４に記載のＫＶＭ切替方法において、
前記複数のスロットにて、前記モジュールが装着された場合にモジュール同士を互いにディジーチェーン接続することを特徴とするＫＶＭ切替方法。
【請求項６】
請求項４または請求項５に記載のＫＶＭ切替方法において、前記ポートと前記周辺機器との接続状態を表示することを特徴とするＫＶＭ切替方法。
【発明の詳細な説明】
【０００１】
【発明の属する技術分野】
本発明は、キーボード、マウス及びディスプレイの周辺機器を複数のサーバ等のコンピュータ機器にて共有する際にコンピュータ機器を切り替えるＫＶＭ切替器及びＫＶＭ切替方法に関する。
【０００２】
【従来の技術】
従来より、キーボード、マウス及びディスプレイの周辺機器を複数のサーバ等のコンピュータ機器にて共有する際にコンピュータ機器を切り替えるＫＶＭ（Ｋｅｙｂｏａｒｄ／Ｖｉｄｅｏ／Ｍｏｕｓｅ）切替器においては、２ポート切替器、４ポート切替器、８ポート切替器、１６ポート切替器と複数種類の切替器が製品毎にラインアップされており、それぞれの装置毎に開発・製造ライン・製品管理・システム構築等が行われている。
【０００３】
このようなＫＶＭ切替器としては、例えば、２台以上のコンピュータと周辺設備とを接続しながら、該コンピュータ中の起動コンピュータを切り替えるコンピュータの切り替えシステムであって、該コンピュータの切り替えシステムが、少なくとも一つの中央演算処理装置と、該周辺設備として一つの探測回路、一つのメインキーボード、該２台以上のコンピュータの台数に対応する電子スイッチを有するコンピュータの切り替えシステムであり、該電子スイッチは第一、第二と第三端を有し、該電子スイッチは該第一端と連結する周辺設備と同数であって、該第一端と該第二端は伝送端で、該第三端はコントロール端であり、該第一端はシステム中の一台のコンピュータと連結させ、該第二端は該周辺設備と連結させ、該第三端は該中央演算処理装置に連結させ、該探測回路は信号線にてコンピュータが起動するときに必要とする周辺設備を該信号線が信号を受信すると該探測回路が信号線から該中央演算処理装置まで信号を伝送させるように連結させ、該メインキーボードは該２台以上のコンピュータに対応できるキーを持ち、データ線にて直接該中央演算処理装置と、キーを押すとキーコードがデータ線を通じて該中央演算処理装置まで該キーコードを送信するように連結させ、該中央演算処理装置は理論運算と該電子スイッチの開閉制御の機能を有し、該中央演算処理装置が該探測回路から信号を受信するとき、別のデータ線で該探測回路に該周辺設備と該周辺設備を操作したい（起動させる）コンピュータの信号を取得してから、操作したい該周辺設備と直接キーボードにつながっているデータ線を操作したい（起動させる）コンピュータに接続させ、該直接キーボードとつながっている該データ線により、該キーボードのキーを押すとキーコードを該中央演算処理装置まで送信させ、該中央演算処理装置にて該電子スイッチの開閉をコントロールさせ、直接必要とする周辺設備を操作したい（起動させる）コンピュータに連結させ、メインキーボードを該中央演算処理装置のデータ線と連結させ、キーボードと同じ機能を備えさせたことを特徴とするコンピュータの切り替えシステムが考えられている（例えば、特許文献１参照。）。
【０００４】
また、上述したようなＫＶＭ切替器に、ＵＳＢ機能やＨｕｂ機能を持たせたものが考えられている（例えば、特許文献２参照。）。
【０００５】
また、コンピュータを操作するための操作装置において、複数のコンピュータの音声出力端子とキーボード端子と外部記憶装置端子とマウス端子と映像出力端子を、操作装置に接続するための集合接続コードと、操作装置に接続した複数のコンピュータと、操作装置に接続した入出力装置とディスプレイ装置およびマウスとの接続を切り替えることによって、操作装置のキーボードと音声出力装置と外部記憶装置と映像出力インタフェースに接続したディスプレイ装置とマウスインタフェースに接続したマウスを使用して、複数台のコンピュータの操作をする入出力接続切り替え機構と、操作装置に接続した複数のコンピュータとのファイルのやりとりと、それぞれのコンピュータ間のファイルのやりとりをする外部記憶装置と、接続したコンピュータに対してキー入力を行うためのキーボード部と、接続したコンピュータに対してマウス入力を行うマウスを接続するためのマウスインタフェース部と、接続したコンピュータの音声を出力する音声出力装置と、接続したコンピュータのディスプレイ出力を表示するディスプレイ装置を接続するための映像出力インタフェースとを備えることを特徴とする切り替え式複数台操作装置が考えられている。
【０００６】
【特許文献１】
特開２００２−３２３２２号公報
【特許文献２】
実用新案登録第３０９１５００号公報
【特許文献３】
特開平９−３１９４７６号公報
【０００７】
【発明が解決しようとする課題】
しかしながら、上述したような従来のＫＶＭ切替器においては、利用するコンピュータの数に応じた切替器を設定しなければならず、また、この切替器には互換性がないため、一旦システムを構築した後に、利用するコンピュータを容易に増設することができないという問題点がある。
【０００８】
本発明は、上述したような従来の技術が有する問題点に鑑みてなされたものであって、個人ユーザから大規模ユーザまで、利用するコンピュータの数に応じて幅広く適用することができるＫＶＭ切替器及びＫＶＭ切替方法を提供することを目的とする。
【０００９】
【課題を解決するための手段】
上記目的を達成するために本発明は、
複数のコンピュータ装置と、該複数のコンピュータ装置に対して信号の入出力を行うためのキーボード、マウス及びディスプレイの周辺機器とが接続可能に構成され、前記周辺機器にて信号の入出力対象となるコンピュータ装置を切り替えるＫＶＭ切替器において、
前記コンピュータ装置に接続するためのポートを複数有するモジュールが装着可能に構成された複数のスロットと、
前記コンピュータ装置が接続されたポートと前記周辺機器との接続を選択的に切り替えるための操作手段とを有することを特徴とする。
【００１０】
また、前記複数のスロットは、前記モジュールが装着された場合にモジュール同士を互いにディジーチェーン接続することを特徴とする。
【００１１】
また、前記操作手段は、前記ポートと前記周辺機器との接続状態を表示することを特徴とする。
【００１２】
また、複数のコンピュータ装置と、該複数のコンピュータ装置に対して信号の入出力を行うためのキーボード、マウス及びディスプレイの周辺機器とが接続可能に構成され、前記周辺機器にて信号の入出力対象となるコンピュータ装置を切り替えるＫＶＭ切替器におけるＫＶＭ切替方法であって、
接続するコンピュータ装置の数に応じて、前記ＫＶＭ切替器に設けられた複数のスロットに、前記コンピュータ装置に接続するためのポートを複数有するモジュールを装着し、該モジュールのポートに前記コンピュータ装置を接続し、前記ポートに接続されたコンピュータ装置のいずれか１つと前記周辺機器とを接続することを特徴とする。
【００１３】
また、前記複数のスロットにて、前記モジュールが装着された場合にモジュール同士を互いにディジーチェーン接続することを特徴とする。
【００１４】
また、前記ポートと前記周辺機器との接続状態を表示することを特徴とする。
【００１５】
（作用）
上記のように構成された本発明は、コンピュータ装置に接続するためのポートを複数有するモジュールが装着可能に構成されたスロットが複数設けられているので、利用するＰＣやサーバ等のコンピュータ装置の数に応じたモジュールをスロットに装着し、これらコンピュータ装置にて、キーボード、マウス及びディスプレイの周辺機器を共用することになり、個人ユーザから大規模ユーザまで、利用するコンピュータ装置の数に応じて幅広く適用することができる。
【００１６】
【発明の実施の形態】
以下に、本発明の実施の形態について図面を参照して説明する。
【００１７】
図１は、本発明のＫＶＭ切替器の実施の一形態を示す図である。
【００１８】
本形態は図１に示すように、ＰＣやサーバ等のコンピュータ装置（不図示）に接続可能な４つのポート２２ａ−１〜２２ａ−４を有するモジュール２０ａが装着可能に構成された４つのスロット１３ａ〜１３ｄと、キーボード、マウス及びディスプレイの周辺機器（不図示）と接続されるコンソールポート１２と、スロット１３ａ〜１３ｄにモジュール２０ａが装着された旨や、スロット１３ａ〜１３ｄに装着されたモジュール２０ａのポート２２ａ〜２２ｄに接続されたコンピュータ装置の電源ＯＮ状態を表示するとともに、スロット１３ａ〜１３ｄに装着されたモジュール２０ａのポート２２ａ〜２２ｄに接続されたコンピュータ装置を選択するための操作手段であるフロントパネル１１とから構成されており、スロット１３ａ〜１３ｄによって、スロット１３ａ〜１３ｄに装着されたモジュールがディジーチェーン接続される。また、モジュール２０ａには、スロット１３ａ〜１３ｄに装着された場合に、モジュール２０ａのポート２２ａ〜２２ｄ毎に、ポート２２ａ〜２２ｄに接続されたコンピュータ装置が、コンソールポート１２に接続された周辺機器と接続されているかのように制御し、また、Ｏｎ  Ｓｃｒｅｅｎ  Ｍｏｄｅ（以下、ＯＳＤと称す）やフロントパネル１１からの切り替え指示により選択されたポートとコンソールポート１２とを接続するマイコン２１ａが設けられている。なお、本形態においては、スロット１３ａ〜１３ｄのうち、スロット１３ａにモジュール２０ａが装着されているが、スロット１３ｂ〜１３ｄのそれぞれにおいても、モジュール２０ａと同様の構成を有するモジュールが装着可能に構成されている。また、スロット１３ａ〜１３ｄ及びポート２２ａ〜２２ｄの数については、これに限定されるものではない。
【００１９】
このように本形態においては、スロット１３ａ〜１３ｄに対してモジュールが活栓挿抜可能な物理構造及び論理となっており、モジュール２０ａが最小構成である１つの場合は、４台までのコンピュータ装置（例えば、サーバ）が接続可能であり、最大構成である４つの場合は、１６台までのコンピュータ装置（例えば、サーバ）が接続可能となり、システムの構成規模に応じてモジュール２０ａの搭載が可能で、将来増設する際にはスロット１３ｂ〜１３ｄに空きがあれば、モジュール２０ａを追加してサーバ等のコンピュータ装置を増設することができる。ここで、スロット１３ａ〜１３ｄにそれぞれモジュールが装着された場合に、これらのモジュールが互いにディジーチェーン接続されるため、モジュール内のマイコンが連携し、単一のＫＶＭ切替器として動作する。その場合、スロット１３ａが主となり、スロット１３ｂ〜１３ｄが従となる制御が行われる。
【００２０】
図２は、図１に示したＫＶＭ切替器１０にさらにモジュール２０ｂが装着されている場合の構成を示す図である。
【００２１】
図２に示すように、図１に示したＫＶＭ切替機１０に対して、さらに、スロット１３ｂにモジュール２０ａと同じ構成を有するモジュール２０ｂを装着することもできる。この場合、モジュール２０ａとモジュール２０ｂとが互いにディジーチェーン接続され、モジュール２０ａ内のマイコン２１ａとモジュール２０ｂ内のマイコン２１ｂとが連携し、スロット１３ａが主となり、スロット１３ｂ〜１３ｄが従となって、単一のＫＶＭ切替器として動作する。
【００２２】
図３は、図１及び図２に示したフロントパネル１１の構成を示す図である。
【００２３】
図３に示すように、本形態におけるフロントパネル１１には、スロット１３ａ〜１３ｄのそれぞれに対応してモジュールが装着されているかどうかを示すモジュールステータス表示部３ａ〜３ｄと、スロット１３ａ〜１３ｄに装着されるモジュールのポートを切り替えるためのスイッチ４ａ−１〜４ａ−４，４ｂ−１〜４ｂ−４，４ｃ−１〜４ｃ−４，４ｄ−１〜４ｄ−４と、ポートに接続されたコンピュータ装置の電源がＯＮ状態である旨及びそのポートが選択されている旨を示すポートステータス表示部２ａ−１〜２ａ−４，２ｂ−１〜２ｂ−４，２ｃ−１〜２ｃ−４，２ｄ−１〜２ｄ−４と、ＫＶＭ切替機１０をリセットするためのリセットボタン５とが設けられている。
【００２４】
また、スロット１３ａ〜１３ｄに実装されるモジュール２０ａは、コンピュータ装置となるサーバのＫｅｙｂｏａｒｄ／Ｍｏｕｓｅ／Ｖｉｄｅｏインタフェースと接続されるポート２２ａ−１〜２２ａ−４を有し、マイコン２１ａはサーバ制御線２３ａ−１〜２３ａ−４により、ポート２２ａ−１〜２２ａ−４毎に、サーバに対するＫｅｙｂｏａｒｄ／Ｍｏｕｓｅ／Ｖｉｄｅｏ信号の送受信を行い、スイッチ操作やキーボード操作による切り替え指示を制御し、さらに、ディジーチェーン接続線１４により、スロット１３ｂ〜１３ｄに装着されているモジュール毎に実装されたマイコンも制御する。
【００２５】
コンソールポート１２は、ディジーチェーン接続の主となるスロット１３ａに装着されたモジュール２０ａのマイコン２１ａに接続されたコンソール線１５により、コンソールポートとなるＫｅｙｂｏａｒｄ／Ｍｏｕｓｅ／Ｖｉｄｅｏのインターフェースコネクタを備えている。
【００２６】
以下に、上記のように構成されたＫＶＭ切替器１０の動作について説明する。
【００２７】
まず、ＫＶＭ切替器１０に電源が入ると、スロット１３ａに実装されたモジュール２０ａに装着されているマイコン２１ａにおいて、コンソールポート１２にデバイス装置となるキーボード（Ｋｅｙｂｏａｒｄ）やマウス（Ｍｏｕｓｅ）やディスプレイ（Ｖｉｄｅｏ）が接続されていることが確認され、それぞれの周辺機器のベンダ情報やデバイス情報等の通常サーバが必要とするデバイス情報が収集、蓄積され、さらに、マイコン２１ａによる制御によって、フロントパネルインタフェース線１６を介してフロントパネル１１上のモジュールステータス表示部３ａのＬＥＤが点灯する。
【００２８】
ＫＶＭ切替器１０の準備が整ったところで、ポート２２ａ−１に接続されたサーバの電源を入れると、マイコン２１ａにおいては、既に蓄積されているキーボード（Ｋｅｙｂｏａｒｄ）情報やマウス（Ｍｏｕｓｅ）情報やディスプレイ（Ｖｉｄｅｏ）情報が、ポート２２ａ−１に接続されたサーバ専用のサーバ制御線２３ａ−１を介して送信され、フロントパネルインタフェース線１６を介してフロントパネル１１上のポートステータス表示部２ａ−１のＬＥＤがＧｒｅｅｎ点灯（ポート選択中を意味）する。また、ポート２２ａ−１に接続されたサーバは、モジュール２０ａ及びコンソールポート１２を介して、キーボードやマウスやディスプレイの周辺機器に接続される。
【００２９】
また、ポート２２ａ−２に接続されたサーバに電源を入れると、ポート２２ａ−１に接続されたサーバと同様に、マイコン２１ａからポート２２ａ−２に接続されたサーバ専用のサーバ制御線２３ａ−２を介して情報が送信され、フロントパネル１１上のポートステータス表示部２ａ−２のＬＥＤがＡｍｂｅｒ点灯（サーバ接続中を意味）する。これにより、ポート２２ａ−２に接続されているサーバは、マイコン２１ａがキーボードやマウスやディスプレイの周辺機器の制御を代行することにより、キーボードやマウスやディスプレイの周辺機器が接続されていると認識される。つまり、マイコン２１ａにおいては、ポート２２ａ−１に接続されたサーバとポート２２ａ−２に接続されたサーバに対して個別に通信が行われており、ポートの接続制御に関わらず、サーバは常にキーボードやマウスやディスプレイの周辺機器が接続されていると認識される。
【００３０】
このように、ポート２２ａ−１，２２ａ−２にサーバが接続されている状態で、ＫＶＭ切替器１０のフロントパネル１１に設けられたスイッチ４ａ−１またはスイッチ４ａ−２が押下されると、スイッチ信号はフロントパネルインタフェース線１６によりマイコン２１ａに送信され、マイコン２１ａにおいて、コンソールＫｅｙｂｏａｒｄ／Ｍｏｕｓｅ／Ｖｉｄｅ信号が、ポート２２ａ−１からポート２２ａ−２、または、ポート２２ａ−２からポート２２ａ−１に繋ぎ替えられ、フロントパネルインタフェース線１６を介してフロントパネル１１上のポートステータス表示部２ａ−１，２ａ−２のＬＥＤの表示が制御される（選択中のポートをＧｒｅｅｎ、サーバ接続中をＡｍｂｅｒ）。
【００３１】
さらに、マイコン２１ａにおいて、コンソールポート１２に接続されたキーボードからの通常使わないキー入力（例えば、ＴａｂキーとＣｔｒｌキーとＡｌｔキーの同時入力等）を予め決めておき、決められたキー入力が認識された場合、Ｏｎ  Ｓｃｒｅｅｎ  Ｍｏｄｅに入る。Ｏｎ  Ｓｃｒｅｅｎ  Ｍｏｄｅでは、マイコン２１ａにおいては、キーボードからの指示によりコンソールＫｅｙｂｏａｒｄ／Ｍｏｕｓｅ／Ｖｉｄｅ信号が、ポート２２ａ−１からポート２２ａ−２、または、ポート２２ａ−２からポート２２ａ−１に繋ぎ替えられ、フロントパネルインタフェース線１６を介してフロントパネル１１上のポートステータス表示部２ａ−１，２ａ−２のＬＥＤの表示が制御される（選択中のポートをＧｒｅｅｎ、サーバ接続中をＡｍｂｅｒ）。
【００３２】
次に、図２に示したように、スロット１３ａ，１３ｂにモジュール２０ａ，２０ｂが装着された場合の動作について説明する。
【００３３】
ＫＶＭ切替器１０に電源が入ると、スロット１３ａに装着されたモジュール２０ａのマイコン２１ａにおいて、コンソールポート１２に接続されたキーボード（Ｋｅｙｂｏａｒｄ）やマウス（Ｍｏｕｓｅ）やディスプレイ（Ｖｉｄｅｏ）が接続されていることが確認され、それぞれの周辺機器のベンダ情報やデバイス情報等の通常サーバが必要とするこれらのデバイス情報が収集され、蓄積される。また、マイコン２１ａにおいては、ディジーチェーン接続線１４がサーチされて他のスロット１３ｂ〜１３ｄにモジュールが装着されているかが確認され、スロット１３ｂにモジュール２０ｂが装着されている場合は、その装着されているスロット１３ｂのフラグビットが有効に設定され、フロントパネルインタフェース線１６を介してフロントパネル１１上のモジュールステータス表示部３ａ，３ｂのＬＥＤが点灯する。
【００３４】
マイコン２１ａとモジュール２０ａのポート２２ａ−１〜２２ａ−４に接続された各サーバとの間の制御、並びに、マイコン２１ｂとモジュール２０ｂのポート２２ｂ−１〜２２ｂ−４に接続された各サーバとの間の制御は、前述のモジュール２０ａ単体の場合と同様に行われ、それにより、サーバにキーボードやマウスやディスプレイの周辺機器が接続されていると認識させる。
【００３５】
ＫＶＭ切替器１０の切り替え動作においては、フロントパネル１１のスイッチ４ａ−１〜４ａ−４が押下された場合、スイッチ信号がフロントパネルインタフェース線１６によりマイコン２１ａに送信され、マイコン２１ａにおいて、コンソールＫｅｙｂｏａｒｄ／Ｍｏｕｓｅ／Ｖｉｄｅ信号が選択されたポートに繋ぎ替えられ、フロントパネルインタフェース線１６を介してフロントパネル１１上のポートステータス表示部２ａ−１〜２ａ−４のＬＥＤの表示が制御される（選択中のポートをＧｒｅｅｎ、サーバ接続中をＡｍｂｅｒ）。フロントパネル１１のスイッチ４ｂ−１〜４ｂ−４が押下された場合は、スイッチ信号がフロントパネルインタフェース線１６によりマイコン２１ａに送信され、マイコン２１ａにおいて、ディジーチェーン接続線１４を介してモジュール２０ｂのマイコン２１ｂにて選択されたポートに繋ぎ替えられ、フロントパネルインタフェース線１６を介してフロントパネル１１上のポートステータス表示部２ａ−１〜２ａ−４，２ｂ−１〜２ｂ−４のＬＥＤの表示が制御される（選択中のポートをＧｒｅｅｎ、サーバ接続中をＡｍｂｅｒ）。
【００３６】
さらに、マイコン２１ａにおいて、スロット１３ｂのフラグビットが立っている場合にはＯｎ  Ｓｃｒｅｅｎ  Ｍｏｄｅでスロット１３ｂのポート情報が追加表示され、マイコン２１ａにおいて、キーボードからの指示によりコンソールＫｅｙｂｏａｒｄ／Ｍｏｕｓｅ／Ｖｉｄｅｏ信号が選択されたマイコン２１ａ直下のポート２２ａ−１〜２２ａ−４または、ディジーチェーン接続線１４を介してモジュール２０ｂのマイコン２１ｂのポート２２ｂ−１〜２２ｂ−４に繋ぎ替えられ、フロントパネルインタフェース線１６を介してフロントパネル１１上のポートステータス表示部２ａ−１〜２ａ−４，２ｂ−１〜２ｂ−４のＬＥＤの表示が制御される（選択中のポートをＧｒｅｅｎ、サーバ接続中をＡｍｂｅｒ）。
【００３７】
（他の実施の形態）
図４は、図１に示したＫＶＭ切替器１０を２台使用した構成を示す図である。
【００３８】
図４に示すように、図１に示したＫＶＭ切替器１０を２台使用し、ＫＶＭ切替器１０のポート２２ａ−１と、もう一台のＫＶＭ切替器１１０のコンソールポート１１２とをカスケード接続し、一台をマスタとして各ポートにはスレーブとして別のＫＶＭ切替器１１０のコンソールポート１１２に接続することができる。
【００３９】
この時マスタとなるＫＶＭ切替器１０の電源が入ると、ＫＶＭ切替器１０のスロット１３ａに装着されたモジュール２０ａのマイコン２１ａにおいては、ＫＶＭ切替器１０の全てのポートに対してコンフィグレーション信号が送信される。ポート２２ａ−１に接続されたスレーブのＫＶＭ切替器１１０のスロット１１３ａに装着されたモジュール１２０ａのマイコン１２１ａにおいては、コンソールポート１１２からコンフィグレーション信号が受信されると、マイコン１２１ａがスレーブのマイコンであることが認識され、コンソールポート１１２に対してアック信号が返信される。
【００４０】
マスタとなるＫＶＭ切替器１０のマイコン２１ａにおいては、ポート２２ａ−１を介してアック信号が返信されてくると、ポート２２ａ−１には、スレーブのＫＶＭ切替器１１０が接続されていることが認識され、Ｏｎ  Ｓｃｒｅｅｎ  Ｍｏｄｅでスレーブの切り替え器１１０のポートの表示が追加され、切り替え操作が可能となる。
【００４１】
【発明の効果】
本発明は、以上説明したように構成されているので、以下に記載するような効果を奏する。
【００４２】
（１）複数のポート毎にモジュール化され、このモジュールをスロットに装着することによりポート数を変更することができるため、従来、４ポート切替器、８ポート切替器、１６ポート切替器と別々の装置を単一筐体で実現することができる。
【００４３】
（２）従来、４ポート切替器、８ポート切替器、１６ポート切替器のそれぞれについて、専用の部品が必要であったが、共通モジュール化することにより部品の共通化が可能になり、また、完成品の種類も３種類から１種類になるため製造から流通までの管理費用も削減できる。それにより、製造単価削減と部材管理費用を削減することができる。
【００４４】
（３）モジュール化することにより、モジュールを容易に追加することができ、最小構成から最大構成への変更に柔軟に対応できる。また、運用中に１つのモジュールが故障しても全体の処理を停止することなく、故障したモジュールに接続しているサーバを停止するだけによって交換が可能となる。これにより、装置の増設や保守が容易になる。
【図面の簡単な説明】
【図１】本発明のＫＶＭ切替器の実施の一形態を示す図である。
【図２】図１に示したＫＶＭ切替器にさらにモジュールが装着されている場合の構成を示す図である。
【図３】図１及び図２に示したフロントパネルの構成を示す図である。
【図４】図１に示したＫＶＭ切替器を２台使用した構成を示す図である。
【符号の説明】
２ａ−１〜２ａ−４，２ｂ−１〜２ｂ−４，２ｃ−１〜２ｃ−４，２ｄ−１〜２ｄ−４    ポートステータス表示部
３ａ〜３ｄ    モジュールステータス表示部
４ａ−１〜４ａ−４，４ｂ−１〜４ｂ−４，４ｃ−１〜４ｃ−４，４ｄ−１〜４ｄ−４    スイッチ
１０，１１０    ＫＶＭ切替器
１１    フロントパネル
１２，１１２    コンソールポート
１３ａ〜１３ｄ，１１３ａ    スロット
１４    ディジーチェーン接続線
１５    コンソール線
１６    フロントパネルインタフェース線
２０ａ，２０ｂ，１２０ａ    モジュール
２１ａ，２１ｂ，１２１ａ    マイコン
２２ａ−１〜２２ａ−４，２２ｂ−１〜２２ｂ−４，１２２ａ−１〜１２２ａ−４    ポート
２３ａ−１〜２３ａ−４，２３ｂ−１〜２３ｂ−４，１２３ａ−１〜１２３ａ−４    サーバ接続線
【図１】
2005018135.tif 000003
【図２】
2005018135.tif 000004
【図３】
2005018135.tif 000005
【図４】
2005018135.tif 000006